(57)【要約】 【課題】装置の大規模化を抑制しつつ、回線切り替え前後での装置内部における入力信号とドロップ先トランスポンダとの接続関係および出力信号とアド元トランスポンダとの接続関係の保持を実現する。【解決手段】回線切り替え前においては、波長スイッチ１−３−１〜１−３−Nから出る信号は入力回線１−１−１〜１−１−Nからの信号のみとなるように設定しておき、回線切り替えの際、波長選択スイッチ１−３−１〜１−３−N、１−４−１〜１−４−Nを適切に設定することで、ループ部の付加により、回線切り替え前後での装置内部における入力信号とドロップ先トランスポンダとの接続関係および出力信号とアド元トランスポンダとの接続関係を保持する。【選択図】 図１
2008136077.tif 000002
【特許請求の範囲】
【請求項１】
１個あるいは複数個の入力光伝送路と、１個あるいは複数個の出力光伝送路との間で光信号の交換を行う波長クロスコネクト装置であって、
１個あるいは複数個のドロップ先トランスポンダ、および１個あるいは複数個のアド元トランスポンダと、
前記アド元トランスポンダよりアドされた信号およびスルー信号のうち、一部あるいは全ての信号を入力側へ戻す１個あるいは複数個のループ回線とを有し、
前記入力光伝送路および前記ループ回線から入力された光信号を任意の波長または波長群ごとに分離して前記ドロップ先トランスポンダへの信号およびスルー信号とする１個あるいは複数個の入力側波長選択交換部と、
前記アド元トランスポンダよりアドされた信号およびスルー信号のうち、一部あるいは全ての信号を前記出力光伝送路および前記ループ回線へと送る１個あるいは複数個の出力側波長選択交換部と、
を含む波長クロスコネクト装置。
【請求項２】
請求項１に記載の波長クロスコネクト装置において、前記入力側波長選択交換部及び前記出力側波長選択交換部は、それぞれ波長選択スイッチからなることを特徴とする波長クロスコネクト装置。
【請求項３】
請求項１に記載の波長クロスコネクト装置において、
前記入力側波長選択交換部は、第１の波長選択スイッチ、及び該第１の波長選択スイッチと接続される第２の波長選択スイッチを有し、
前記出力側波長選択交換部は、第３の波長選択スイッチ、及び該第３の波長選択スイッチと接続され、該第３の波長選択スイッチからの光信号を前記ループ回線と出力光伝送路とに分岐するカプラを有することを特徴とする波長クロスコネクト装置。  
【請求項４】
請求項１に記載の波長クロスコネクト装置において、
前記入力側波長選択交換部は、第１の波長選択スイッチ、及び該第１の波長選択スイッチと接続される第２の波長選択スイッチを有し、
前記出力側波長選択交換部は、第３の波長選択スイッチ、及び前記第２の波長選択スイッチと前記アド元トランスポンダとに接続されるカプラを有し、前記カプラは前記アド元トランスポンダよりアドされた信号およびスルー信号のうち、一部あるいは全ての信号を、前記ループ回線と前記第３の波長選択スイッチとに分岐することを特徴とする波長クロスコネクト装置。
【請求項５】
１個あるいは複数個の入力光伝送路と１個あるいは複数個の出力光伝送路との間で光信号の交換を行う波長クロスコネクト装置であって、
１個あるいは複数個のアドドロップ部と、
１個あるいは複数個のドロップ先トランスポンダおよび１個あるいは複数個のアド元トランスポンダと、
前記入力光伝送路から入力された光信号のうち、一部あるいは全ての信号を前記のアドドロップ部へと出力する第１の波長クロスコネクトと、
前記アドドロップ部より出力された光信号を前記出力光伝送路へと出力する第２の波長クロスコネクトと、
を有する波長クロスコネクト装置。
【発明の詳細な説明】
【技術分野】
【０００１】
本発明は、通信網などに用いられる波長クロスコネクト装置に関し、特に、波長多重信号を伝搬する複数の伝送路光ファイバおよびアドドロップ部との間で信号を交換する波長クロスコネクト装置に関する。
【背景技術】
【０００２】
波長多重信号を伝搬する複数の伝送路光ファイバおよびアドドロップ部との間で信号を交換し、かつアド元、ドロップ先にクライアント側トランスポンダが接続されている波長クロスコネクト装置がある。この波長クロスコネクト装置において、障害救済や保守などを目的とした回線切り替えを行う場合があり、その際、回線切り替えによる入力伝送路あるいは出力伝送路とアド元、トランスポンダ（Transponder）と間の接続断を避ける必要がある。
【０００３】
図１１のような通常の波長クロスコネクト装置においては、切り替え前と後とで信号は異なるトランスポンダよりアド（ＡＤＤ：挿入）、あるいは異なるトランスポンダへドロップ（ＤＲＯＰ：取出し）される。これは、回線切り替え前にあるクライアントが受け取っていた信号が、回線切り替え後にはそれとは異なる誤ったクライアントへ信号がドロップされてしまうということであり、この例では入力伝送路とドロップ先クライアントとの接続断が起こってしまっていることになる。アド元クライアントについても同様のことがいえる。
【０００４】
次に、以上の波長クロスコネクト装置について、図１１を参照して具体的に説明する。
【０００５】
図１１のように、波長クロスコネクト装置は、波長多重信号入力回線１１−１−１〜１１−１−４、波長多重信号出力回線１１−２−１〜１１−２−４、入力側波長選択交換部１１−３−１〜１１−３−４、出力側波長選択交換部１１−４−１〜１１−４−４、ドロップ先トランスポンダ１１−５−１〜１１−５−４、アド元トランスポンダ１１−６−１〜１１−６−４より構成される。
【０００６】
波長多重信号入力回線１１−１−１より入力される波長多重信号は、入力側波長選択交換部１１−３−１において、波長多重信号出力回線に向かうスルー信号とドロップ先トランスポンダ１１−５−１に向かうドロップ信号とに分けられる。そのうちで、回線切り替え前にはドロップ先トランスポンダ１１−５−１よりドロップされている信号のうちの任意の波長をλ１として、この波長の信号を回線切り替えの前後で同一のトランスポンダへドロップしたいとする。なお、ここでは１個の波長について述べるが、複数の波長の場合においても、同様のことが言える。
【０００７】
回線切り替えにより、波長多重信号入力回線１１−１−１より入力されていた波長多重信号は入力回線１１−１−２より入力されるようになったとすると、入力側波長選択交換部１１−３−２よりドロップ部へと向かった波長λ１の信号はトランスポンダ１１−５−２へとドロップされる。このように、任意の波長の信号について、切り替え前はトランスポンダ１１−５−１、切り替え後はトランスポンダ１１−５−２と、切り替え前と後とで異なるトランスポンダへドロップされることになり、回線切り替えによって装置内部における入力信号とドロップ先トランスポンダとの接続関係が変わってしまうことになる。
【０００８】
出力信号とアド元トランスポンダについても同様のことがいえる。このような装置では回線切り替えの度にトランスポンダとの接続を手動で切り替えなければならない。
【０００９】
そのため、従来は非特許文献１に記載された方法により、回線切り替え前後での装置内部における入力信号とドロップ先トランスポンダとの接続関係および出力信号とアド元トランスポンダとの接続関係の保持を行っていた。
【００１０】
すなわち、図１２に示すようにアドドロップ部とトランスポンダとの接続の間に光クロスコネクト１２−７−１を用いる方法である。先の例と同様に、回線切り替え前には入力回線１２−１−１より入力され、トランスポンダ１２−５−１へドロップされていた信号のうちの任意の波長をλ１として、この波長の信号を回線切り替えの前後で同一のトランスポンダへドロップしたいとする。なお、ここでは１個の波長について述べるが、複数の波長の場合においても、同様のことが言える。回線切り替えにより、入力回線１２−１−１より入力されていた波長多重信号が入力回線１２−１−２より入力されるようになったとすると、回線切り替え後には波長λ１の信号は入力側波長選択交換部１２−３−２よりドロップ部へ向かうが、回線切り替え時に光クロスコネクト１２−７−１の設定を変更することによりトランスポンダ１２−５−１へドロップすることが可能となる。すなわち、回線切り替え前後での装置内部における入力信号とドロップ先トランスポンダとの接続関係が保持される。出力信号とアド元トランスポンダについても同様である。
【００１１】
なお、入力側波長選択交換部および出力側波長選択交換部を実現する形態としては、非特許文献２に記載されているような波長選択スイッチがよく用いられる。
【非特許文献１】筆者 L. Zong, P. Ji, T.Wang, O. Matsuda, M. Cvijetic          刊行物の題名 オーエフシー/エヌエフオーイーシー2006 エヌティーエイチシー3 (OFC/NFOEC2006 NThC3)          発行年月日 ２００６年３月          説明ページ・行・図面 4.3章”Centralized Transponder Management(CTM)”
【非特許文献２】筆者 Chao-His Chi, et al.          刊行物の題名 オーエフシー/エヌエフオーイーシー2006 オーティーユーエフ1 (OFC/NFOEC2006 OTuF1)          発行年月日 ２００６年３月          説明ページ・行・図面  図2(a)”Schematic of the 1x4 MEMS WSS”
【発明の開示】
【発明が解決しようとする課題】
【００１２】
波長多重信号を伝搬する複数の伝送路光ファイバおよびアドドロップ部との間で信号を交換する波長クロスコネクト装置において、障害救済や保守などを目的とした回線切り替えの際、先に述べたように、回線切り替え前後での装置内部における入力信号とドロップ先トランスポンダとの接続関係および出力信号とアド元トランスポンダとの接続関係の保持のために従来例の方法を用いると、アドドロップ部に光クロスコネクト装置を用意する必要があるために装置の大規模化が避けられないという課題があった。
【００１３】
本発明の目的は、波長多重信号を伝搬する複数の伝送路光ファイバおよびアドドロップ部との間で信号を交換する波長クロスコネクト装置に関し、回線切り替え前後での装置内部における入力信号とドロップ先トランスポンダとの接続関係および出力信号とアド元トランスポンダとの接続関係の保持を、装置の大規模化を抑制しつつ実現することである。
【課題を解決するための手段】
【００１４】
本発明の第１の波長クロスコネクト装置は、１個あるいは複数個の入力光伝送路と、１個あるいは複数個の出力光伝送路との間で光信号の交換を行う波長クロスコネクト装置であって、
１個あるいは複数個のドロップ先トランスポンダ、および１個あるいは複数個のアド元トランスポンダと、
前記アド元トランスポンダよりアドされた信号およびスルー信号のうち、一部あるいは全ての信号を入力側へ戻す１個あるいは複数個のループ回線とを有し、
前記入力光伝送路および前記ループ回線から入力された光信号を任意の波長または波長群ごとに分離して前記ドロップ先トランスポンダへの信号およびスルー信号とする１個あるいは複数個の入力側波長選択交換部と、
前記アド元トランスポンダよりアドされた信号およびスルー信号のうち、一部あるいは全ての信号を前記出力光伝送路および前記ループ回線へと送る１個あるいは複数個の出力側波長選択交換部と、
を含むことを特徴とする。
【００１５】
また本発明の第２の波長クロスコネクト装置は、１個あるいは複数個の入力光伝送路と１個あるいは複数個の出力光伝送路との間で光信号の交換を行う波長クロスコネクト装置であって、
１個あるいは複数個のアドドロップ部と、
１個あるいは複数個のドロップ先トランスポンダおよび１個あるいは複数個のアド元トランスポンダと、
前記入力光伝送路から入力された光信号のうち、一部あるいは全ての信号を前記のアドドロップ部へと出力する第１の波長クロスコネクトと、
前記アドドロップ部より出力された光信号を前記出力光伝送路へと出力する第２の波長クロスコネクトと、
を有することを特徴とする。
【発明の効果】
【００１６】
本発明の第１の波長クロスコネクト装置によれば、ループ部の付加のみにより、回線切り替え前後での装置内部における入力信号とドロップ先トランスポンダとの接続関係および出力信号とアド元トランスポンダとの接続関係の保持を実現できるために、新たな光スイッチを用意するなど、装置を大規模することなく実現できる。
【００１７】
また本発明の第２の波長クロスコネクト装置による第１の効果は、特に入力回線あるいは出力回線の信号が高密度波長多重信号である場合において、回線切り替え前後での装置内部における入力信号とドロップ先トランスポンダとの接続関係および出力信号とアド元トランスポンダとの接続関係の保持を、従来例の方法を用いた場合と比べて小規模な装置で実現できることである。その理由は、従来例においては多重されている波長数分のポートを持つ光クロスコネクトを用意する必要があったのに対し、本発明によれば、波長多重信号の入力回線数分あるいは出力回線数分のみのポートを持つ波長クロスコネクトにより回線切り替え前後での装置内部における入力信号とドロップ先トランスポンダとの接続関係および出力信号とアド元トランスポンダとの接続関係の保持を実現できるためである。
【００１８】
本発明の第２の波長クロスコネクト装置による第２の効果は、この態様によるアドドロップ部の構成に対し、制約が加わらないことである。
【発明を実施するための最良の形態】
【００１９】
次に、本発明の実施の形態について図面を参照して詳細に説明する。 
【００２０】
（第１の実施形態）
本発明の第１の形態は、図１に示すように、波長多重信号入力回線１−１−１〜１−１−N、波長多重信号出力回線１−２−１〜１−２−N、入力側波長選択交換部１−３−１〜１−３−N、出力側波長選択交換部１−４−１〜１−４−N、ドロップ先トランスポンダ１−５−１〜１−５−N、アド元トランスポンダ１−６−１〜１−６−N、ループ１−７−１〜１−７−Nから構成される。ループ１−７−１〜１−７−Ｎは、出力側波長選択交換部１−４−１と入力側波長選択交換部１−３−１との間、・・・、出力側波長選択交換部１−４−Ｎと入力側波長選択交換部１−３−Ｎとの間、をそれぞれ接続するループである。図２は、入力側波長選択交換部１−３−１〜１−３−Nおよび出力側波長選択交換部１−４−１〜１−４−Nの構成例として、それぞれ波長選択スイッチ３−３−１〜３−３−N、波長選択スイッチ３−４−１〜３−４−Nを用いた場合を示す構成図である。
【００２１】
なお、簡単のために図１では入力側波長選択交換部１−３−１〜１−３−N、出力側波長選択交換部１−４−１〜１−４−Nを分離して書いているが、実際には入力側波長選択交換部１−３−１と出力側波長選択交換部１−４−１とは、ペアをなしている。入力側波長選択交換部１−３−２と出力側波長選択交換部１−４−２〜入力側波長選択交換部１−３−Nと出力側波長選択交換部１−４−Nについても同様である。また、ループは、１対の入力側波長選択交換部と出力側波長選択交換部との間に複数存在してもよく、任意の入力側波長選択交換部と複数のドロップ先トランスポンダ、出力側波長選択交換部と複数のアド元トランスポンダが接続していてもよい。
【００２２】
図１を用いて本発明の回線切り替え時の動作について説明する。回線切り替え前においては、入力側波長選択交換部１−３−１〜１−３−Nから出る信号はそれぞれ波長多重信号入力回線１−１−１〜１−１−Nからの信号のみとなるように入力側波長選択交換部１−３−１〜１−３−Nを設定しておく。入力回線１−１−１より入力されていた波長多重信号は入力側波長選択交換部１−３−１において出力回線に向かうスルー信号とドロップ先トランスポンダ１−５−１に向かうドロップ信号とに分けられる。そのうちで、回線切り替え前にはトランスポンダ１−５−１よりドロップされている信号のうちの任意の波長をλ１として、この波長の信号を回線切り替えの前後で同一のトランスポンダへドロップしたいとする。なお、ここでは１個の波長について述べるが、複数の波長の場合においても、同様のことが言える。回線切り替えにより、入力回線１−１−１より入力されていた波長多重信号は入力回線１−１−２より入力されるようになったとすると、波長λ１の信号は入力側波長選択交換部１−３−２へ入力されるようになる。この回線切り替えの際、波長λ１の信号は入力側波長選択交換部１−３−２を出た後、出力側波長選択交換部１−４−１へ向かうように入力側波長選択交換部１−３−２を設定し、出力側波長選択交換部１−４−１に入った波長λ１の光はループ１−７−１から出るように出力側波長選択交換部１−４−１を設定し、かつループ１−７−１からの波長λ１の信号が入力側波長選択交換部１−３−１からトランスポンダ１−５−１へドロップされるように設定することにより、回線切り替え後、入力回線１−１−２より入力された波長λ１の信号は入力側波長選択交換部１−３−２より出力側波長選択交換部１−４−１へ向かい、その後ループ１−７−１を通り入力側波長選択交換部１−３−１よりトランスポンダ１−５−１へドロップされる。すなわち、回線切り替え前後での装置内部における入力信号とドロップ先トランスポンダとの接続関係が保持される。出力信号とアド元トランスポンダについても同様である。かつ、この第１の形態と従来例とを比較するとこの第１の形態の方が、小規模な装置となる。
【００２３】
（第２の実施形態）
本発明の第２の実施形態によれば、図３に示すように、波長多重信号入力回線２−１−１〜２−１−N、波長多重信号出力回線２−２−１〜２−２−N、信号アドドロップ部２−３−１〜２−３−N、アドドロップトランスポンダ群、波長クロスコネクトとなる波長回線組換部２−４−１、波長クロスコネクトとなる波長回線組換部２−４−２から構成される。波長回線組換部２−４−１の構成例を図４に示す。図４に示すように、波長回線組換部２−４−１は波長選択スイッチ１０−１−１〜１０−１−Nおよび１０−２−１〜１０−２−Nより構成される。波長回線組換部２−４−２も波長回線組換部２−４−１と同様に２列の波長選択スイッチより構成され、波長クロスコネクト機能を有する。
【００２４】
図３を用いて本発明の回線切り替え時の動作について説明する。回線切り替え前、入力回線２−１−１より入力され、波長回線組換部２−４−１を通り信号アドドロップ部２−３−１よりドロップされる信号のうちの任意の波長をλ１として、この波長の信号を回線切り替えの前後で同一のトランスポンダへドロップしたいとする。なお、ここでは１個の波長について述べるが、複数の波長の場合においても、同様のことが言える。回線切り替えにより、入力回線２−１−１より入力されていた波長多重信号は入力回線２−１−２より入力されるようになったとすると、波長λ１の信号は入力回線２−１−２より入力されるようになる。この回線切り替えの際、入力回線２−１−２より波長回線組換部２−４−１に入力された波長λ１の信号は信号アドドロップ部２−３−１に向かうよう、波長回線組換部２−４−１を設定することにより（図４の構成では、波長選択スイッチ１０−１−２に入力された波長λ１の信号は波長選択スイッチ１０−２−１を介して信号アドドロップ部２−３−１に向かうよう波長選択スイッチ１０−１−２を設定することにより）、回線切り替え後、入力回線２−１−２より入力された波長λ１の信号は、波長回線組換部２−４−１（図４の構成では波長選択スイッチ１０−１−２および波長選択スイッチ１０−２−１）を通り信号アドドロップ部２−３−１よりドロップされる。すなわち、回線切り替え前後での装置内部における入力信号とドロップ先トランスポンダとの接続関係が保持される。
【００２５】
また、アド元トランスポンダについても同様であり、回線切り替え前、アドドロップ部２−３−１よりアドされ、波長回線組換部２−４−２を通り、波長多重信号出力回線２−２−１より出力される信号のうちの任意の波長をλ２として、この波長の信号を回線切り替えの前後で同一のトランスポンダよりアドしたいとする。なお、ここでは１個の波長について述べるが、複数の波長の場合においても、同様のことが言える。回線切り替え時に、アドドロップ部２−３−１よりアドされた波長λ２の信号が出力回線２−２−２より出力されるよう波長回線組換部２−４−２を設定することにより、回線切り替え後にはアドドロップ部２−３−１よりアドされた波長λ２の信号を出力回線２−２−２より出力することができる。よって、回線切り替え前には波長多重信号出力回線２−２−１より出力された信号、回線切り替え後には出力回線２−２−２より出力された信号を受け取る装置は、回線切り替えの前後において、継続してアドドロップ部２−３−１よりアドされた波長λ２の信号を受け取ることができる。すなわち、回線切り替え前後での装置内部における出力信号とアド元トランスポンダとの接続関係が保持される。かつ、この第２の形態と従来例とを比較すると、特に入力回線あるいは出力回線の信号が高密度波長多重信号である場合において、この第２の形態の方が、小規模な装置となる。
【００２６】
次に、図面を参照して、本発明を実施するための具体的な実施例を説明する。
【実施例１】
【００２７】
本発明の第１の実施形態に係わる具体的な実施例１は、図５に示すように、波長多重信号入力回線５−１−１〜５−１−４、波長多重信号出力回線５−２−１〜５−２−４、2×5波長選択スイッチ５−３−１〜５−３−４、2×5波長選択スイッチ５−４−１〜５−４−４、ドロップ先トランスポンダ５−５−１〜５−５−４、アド元トランスポンダ５−６−１〜５−６−４、ループ５−７−１〜５−７−４から構成される。ループ５−７−１〜５−７−４は、波長選択スイッチ５−４−１と５−３−１との間、・・・、波長選択スイッチ５−４−４と５−３−４との間、をそれぞれ接続するループである。2×5波長選択スイッチ５−３−１〜５−３−４、2×5波長選択スイッチ５−４−１〜５−４−４、ドロップ先トランスポンダ５−５−１〜５−５−４、アド元トランスポンダ５−６−１〜５−６−４の間の光接続は光ファイバで行われる。またループは光ファイバで構成することができる。各部材間の光接続が光ファイバで行うことができることは後述する各実施例でも同様である。実施例２、３でループを光ファイバで構成することができることは勿論である。
【００２８】
次に、実施例１における回線切り替え時の動作について、図５を参照して説明する。回線切り替え前においては、波長選択スイッチ５−３−１〜５−３−４から出る信号はそれぞれ波長多重信号入力回線５−１−１〜５−１−４からの信号のみとなるように波長選択スイッチ５−３−１〜５−３−４を設定しておく。入力回線５−１−１より入力されていた波長多重信号は波長選択スイッチ５−３−１において出力回線に向かうスルー信号とドロップ先トランスポンダ５−５−１に向かうドロップ信号とに分けられる。そのうちで、回線切り替え前にはトランスポンダ５−５−１よりドロップされている信号のうちの任意の波長をλ１として、この波長の信号を回線切り替えの前後で同一のトランスポンダへドロップしたいとする。なお、ここでは１個の波長について述べるが、複数の波長の場合においても、同様のことが言える。回線切り替えにより、入力回線５−１−１より入力されていた波長多重信号は入力回線５−１−２より入力されるようになったとすると、波長λ１の信号は波長選択スイッチ５−３−２へ入力されるようになる。この回線切り替えの際、波長λ１の信号は波長選択スイッチ５−３−２を出た後、波長選択スイッチ５−４−１へ向かうように波長選択スイッチ５−３−２を設定し、波長選択スイッチ５−４−１に入った光はループ５−７−１から出るように波長選択スイッチ５−４−１を設定し、かつループ５−７−１からの波長λ１の信号が波長選択スイッチ５−３−１からトランスポンダ５−５−１へドロップされるように設定することにより、回線切り替え後、入力回線５−１−２より入力された波長λ１の信号は波長選択スイッチ５−３−２より波長選択スイッチ５−４−１へ向かい、その後ループ５−７−１を通り波長選択スイッチ５−３−１よりトランスポンダ５−５−１へドロップされる。すなわち、回線切り替え前後での装置内部における入力信号とドロップ先トランスポンダとの接続関係が保持される。出力信号とアド元トランスポンダについても同様である。
【００２９】
図１３は波長選択スイッチの構成例を示す図である。この波長選択スイッチ（ＷＳＳ）はhttp://www.furukawa.co.jp/what/what.htm (古河電工株式会社ホームページ、News Release (2006/9/21) )に記載された構成を模式的に示した図である。入力ファイバが接続された入出力ファイバアレイに多重光信号入力がされ、合波分波用回折格子により分波され、２軸可動式ＭＥＭＳミラーアレイに入力される。２軸可動式ＭＥＭＳミラーアレイから入力された光信号はミラーにより反射され、合波分波用回折格子を通り合波され入出力ファイバアレイに接続される複数の出力ファイバから光信号が出力される。ここでは２本の出力ファイバが示され、１本の出力ファイバから合波分波用回折格子により合波された光信号が出力され、他方の出力ファイバからは合波されない光信号が出力される。
【００３０】
図１３では1×2波長選択スイッチが示されているが、入力ファイバを２本とし、出力ファイバを５本とし、対応する合波分波用回折格子及び２軸可動式ＭＥＭＳミラーアレイを設けることにより本実施例で用いる2×5波長選択スイッチ５−３−１〜５−３−４、５−４−１〜５−４−４を構成することができる。波長選択スイッチの波長選択はは図１３に示す波長選択スイッチの場合は、２軸可動式ＭＥＭＳミラーアレイの各ミラーの角度を電気信号により制御して行うことができる。2×5波長選択スイッチ５−３−１〜５−３−４、５−４−１〜５−４−４を図１３の波長選択スイッチで構成した場合、2×5波長選択スイッチ５−３−１〜５−３−４、５−４−１〜５−４−４を構成する２軸可動式ＭＥＭＳミラーアレイを制御部により制御することで波長の選択を行うことができる。なお、図１３に示す波長選択スイッチは後述する各実施例２〜４でも同様に用いることができる。なお、波長選択スイッチの構成は図１３に示す構成に限定されず、種々の構成をとることができることは勿論である。
【００３１】
図１４は図５に示す波長クロスコネクト装置の具体的な構成を示す図である。図１４に示す構成は非特許文献１のFig.3(a)、(b)に示された構成に対応するものである。2×5波長選択スイッチ５−３−１、2×5波長選択スイッチ５−４−１はモジュール化されてＲＯＡＤＭモジュールを構成する。なお、ＲＯＡＤＭ(Reconfigurable Optical Add/Drop Multiplexer)は、遠隔波長制御可能な波長多重化装置を意味する。2×5波長選択スイッチ５−３−２〜５−３−４、2×5波長選択スイッチ５−４−２〜５−４−４も同様にモジュール化されて、それぞれ３つのＲＯＡＤＭモジュールを構成する。各ＲＯＡＤＭモジュールにはトランスポンダ（ドロップ先トランスポンダとアド元トランスポンダとを併せて示している）と接続される。ここでは省略されているが、2×5波長選択スイッチ５−３−１〜５−３−４と、2×5波長選択スイッチ５−４−１〜５−４−４とは図５に示すように光ファイバで接続される。
【実施例２】
【００３２】
本発明の第１の実施形態に係わる具体的な実施例２は、図６に示すように、波長多重信号入力回線６−１−１〜６−１−４、波長多重信号出力回線６−２−１〜６−２−４、1×2波長選択スイッチ６−３−１〜６−３−４、1×5波長選択スイッチ６−４−１〜６−４−４、1×5波長選択スイッチ６−５−１〜６−５−４、ドロップ先トランスポンダ６−６−１〜６−６−４、アド元トランスポンダ６−７−１〜６−７−４、カプラ６−８−１〜６−８−４、ループ６−９−１〜６−９−４から構成される。ループ６−９−１〜６−９−４は、カプラ６−８−１と波長選択スイッチ６−３−１との間、・・・、カプラ６−８−４と波長選択スイッチ６−３−４との間、をそれぞれ接続するループである。また、図７に示すように、実施例２においては、1×2波長選択スイッチ６−３−１および1×5波長選択スイッチ６−４−１より入力側波長選択交換部が、1×5波長選択スイッチ６−５−１およびカプラ６−８−１より出力側波長選択交換部が構成される。
【００３３】
次に、実施例２における回線切り替え時の動作について、図６を参照して説明する。回線切り替え前においては、波長選択スイッチ６−３−１〜６−３−４から出る信号はそれぞれ波長多重信号入力回線６−１−１〜６−１−４からの信号のみとなるように波長選択スイッチ６−３−１〜６−３−４を設定しておく。入力回線６−１−１より入力されていた波長多重信号は波長選択スイッチ６−３−１、６−４−１を通り、出力回線に向かうスルー信号とドロップ先トランスポンダ６−６−１に向かうドロップ信号とに分けられる。そのうちで、回線切り替え前にはトランスポンダ６−６−１へドロップされている信号のうちの任意の波長をλ１として、この波長の信号を回線切り替えの前後で同一のトランスポンダへドロップしたいとする。なお、ここでは１個の波長について述べるが、複数の波長の場合においても、同様のことが言える。回線切り替えにより、入力回線６−１−１より入力されていた波長多重信号は入力回線６−１−２より入力されるようになったとすると、波長λ１の信号は波長選択スイッチ６−３−２へ入力されるようになる。この回線切り替えの際、波長λ１の信号は波長選択スイッチ６−４−２を出た後、波長選択スイッチ６−５−１へ向かうように波長選択スイッチ６−４−２を設定し、ループ６−９−１より波長選択スイッチ６−３−１に入った波長λ１の信号が波長選択スイッチ６−４−１へ向かうように波長選択スイッチ６−３−１を設定することにより、回線切り替え後、入力回線６−１−２より入力された波長λ１の信号は波長選択スイッチ６−３−２、６−４−２、６−５−１を通り、カプラ６−８−１において出力回線６−２−１とループ６−９−１とに進む信号に分岐される。そのうち、ループ６−９−１に進んだ信号は、その後波長選択スイッチ６−３−１、６−４−１を通り、トランスポンダ６−６−１よりドロップされる。すなわち、回線切り替え前後での装置内部における入力信号とドロップ先トランスポンダとの接続関係が保持される。出力信号とアド元トランスポンダについても同様である。
【００３４】
実施例１において図１４を用いて説明したと同様な構成を本実施例においてもとることができる。すなわち、1×2波長選択スイッチ６−３−１、1×5波長選択スイッチ６−４−１、1×5波長選択スイッチ６−５−１及びカプラ６−８−１はモジュール化されてＲＯＡＤＭモジュールを構成する。1×2波長選択スイッチ６−３−２〜６−３−４、1×5波長選択スイッチ６−４−２〜６−４−４、1×5波長選択スイッチ６−５−２〜６−５−４、及びカプラ６−８−２〜６−８−４も同様にモジュール化されて、それぞれ３つのＲＯＡＤＭモジュールを構成する。各ＲＯＡＤＭモジュールにはトランスポンダ（ドロップ先トランスポンダとアド元トランスポンダ）と接続される。
【実施例３】
【００３５】
本発明の第１の実施形態に係わる具体的な実施例３は、図８に示すように、波長多重信号入力回線７−１−１〜７−１−４、波長多重信号出力回線７−２−１〜７−２−４、1×5波長選択スイッチ７−３−１〜７−３−４、1×5波長選択スイッチ７−４−１〜７−４−４、1×5波長選択スイッチ７−５−１〜７−５−４、ドロップ先トランスポンダ７−６−１〜７−６−４、アド元トランスポンダ７−７−１〜７−７−４、波長選択スイッチ７−５−１〜７−５−４へ向かう各信号を分岐するカプラ、各カプラから波長選択スイッチ７−３−１〜７−３−４へ向かうループから構成される。
【００３６】
なお、図８では波長選択スイッチ７−５−１へ向かう各信号を分岐するカプラ、各カプラから波長選択スイッチ７−３−１へ向かうループ以外は省略してあるが、波長選択スイッチ７−５−２〜７−５−４へ向かう各信号を分岐するカプラ、各カプラから波長選択スイッチ７−３−２〜７−３−４へ向かうループについても同様に構成する。また、図９に示すように、実施例３においては、1×5波長選択スイッチ７−３−１、７−４−１より入力側波長選択交換部が、1×5波長選択スイッチ７−５−１へ向かう各信号を分岐するカプラ、および1×5波長選択スイッチ７−５−１より出力側波長選択交換部が構成される。
【００３７】
次に、実施例３における回線切り替え時の動作について、図８を参照して説明する。回線切り替え前においては、波長選択スイッチ７−３−１〜７−３−４から出る信号はそれぞれ波長多重信号入力回線７−１−１〜７−１−４からの信号のみとなるように波長選択スイッチ７−３−１〜７−３−４を設定しておく。入力回線７−１−１より入力されていた波長多重信号は波長選択スイッチ７−３−１、７−４−１を通り、出力回線に向かうスルー信号とドロップ先トランスポンダ７−６−１に向かうドロップ信号とに分けられる。そのうちで、回線切り替え前にはトランスポンダ７−６−１へドロップされている信号のうちの任意の波長をλ１として、この波長の信号を回線切り替えの前後で同一のトランスポンダへドロップしたいとする。なお、ここでは１個の波長について述べるが、複数の波長の場合においても、同様のことが言える。回線切り替えにより、入力回線７−１−１より入力されていた波長多重信号は入力回線７−１−２より入力されるようになったとすると、波長λ１の信号は波長選択スイッチ７−３−２へ入力されるようになる。この回線切り替えの際、波長λ１の信号は波長選択スイッチ７−４−２を出た後、波長選択スイッチ７−５−１へ向かうように波長選択スイッチ７−４−２を設定し、ループより波長選択スイッチ７−３−１に入った波長λ１の信号が波長選択スイッチ７−４−１へ向かうように波長選択スイッチ７−３−１を設定することにより、回線切り替え後、入力回線７−１−２より入力された波長λ１の信号は波長選択スイッチ７−３−２、７−４−２を通り、カプラにおいて波長選択スイッチ７−５−１へ向かう信号とループを通って波長選択スイッチ７−３−１へと進む信号とに分岐される。そのうち、ループに進んだ信号は、その後、波長選択スイッチ７−３−１、７−４−１を通り、トランスポンダ７−６−１へドロップされる。すなわち、回線切り替え前後での装置内部における入力信号とドロップ先トランスポンダとの接続関係が保持される。出力信号とアド元トランスポンダについても同様である。
【００３８】
実施例１において図１４を用いて説明したと同様な構成を本実施例においてもとることができる。すなわち、1×5波長選択スイッチ７−３−１、1×5波長選択スイッチ７−４−１、1×5波長選択スイッチ７−５−１及びカプラはモジュール化されてＲＯＡＤＭモジュールを構成する。1×5波長選択スイッチ７−３−２〜７−３−４、1×5波長選択スイッチ７−４−２〜７−４−４、1×5波長選択スイッチ７−５−２〜７−５−４、及びカプラも同様にモジュール化されて、それぞれ３つのＲＯＡＤＭモジュールを構成する。各ＲＯＡＤＭモジュールにはトランスポンダ（ドロップ先トランスポンダとアド元トランスポンダ）と接続される。
【実施例４】
【００３９】
図１０を参照すると、本発明の第２の実施形態に係わる具体的な実施例４は、波長多重信号入力回線４−１−１〜４−１−N、波長多重信号出力回線４−２−１〜４−２−N、信号アドドロップ部４−３−１〜４−３−N、アドドロップトランスポンダ群、波長回線組換部４−４−１、波長回線組換部４−４−２から構成される。さらに、波長回線組換部４−４−１は波長選択スイッチ４−５−１〜４−５−Nおよび４−６−１〜４−６−Nより構成され、波長回線組換部４−４−２は波長選択スイッチ４−７−１〜４−７−Nおよび４−８−１〜４−８−Nから構成される。
【００４０】
本発明の実施例４の回線切り替え時の動作について、図１０を参照して詳細に説明する。回線切り替え前、入力回線４−１−１より入力され、波長選択スイッチ４−５−１および波長選択スイッチ４−６−１を通り、信号アドドロップ部４−３−１よりドロップされる信号のうちの任意の波長をλ１として、この波長の信号を回線切り替えの前後で同一のトランスポンダへドロップしたいとする。なお、ここでは１個の波長について述べるが、複数の波長の場合においても、同様のことが言える。回線切り替えにより、入力回線４−１−１より入力されていた波長多重信号が入力回線４−１−２より入力されるようになったとすると、波長λ１の信号は入力回線４−１−２より入力されるようになる。この回線切り替えの際、入力回線４−１−２より波長選択スイッチ４−５−２に入力された波長λ１の信号は波長選択スイッチ４−６−１に向かうよう波長選択スイッチ４−５−２を設定することにより、回線切り替え後、入力回線４−１−２より入力された波長λ１の信号は、波長選択スイッチ４−５−２および波長選択スイッチ４−６−１を通り、信号アドドロップ部４−３−１よりドロップされる。すなわち、回線切り替え前後での装置内部における入力信号とドロップ先トランスポンダとの接続関係が保持される。
【００４１】
また、アド元トランスポンダについても同様であり、回線切り替え前、アドドロップ部４−３−１よりアドされ、波長選択スイッチ４−７−１および波長選択スイッチ４−８−１を通り、波長多重信号出力回線４−２−１より出力される信号のうちの任意の波長をλ２として、この波長の信号を回線切り替えの前後で同一のトランスポンダよりアドしたいとする。なお、ここでは１個の波長について述べるが、複数の波長の場合においても、同様のことが言える。回線切り替え時に、波長選択スイッチ４−７−１に入力された波長λ２の信号が波長選択スイッチ４−８−２へ向かうように波長選択スイッチ４−７−１を設定することにより、回線切り替え後、アドドロップ部４−３−１よりアドされた波長λ２の信号を、波長選択スイッチ４−７−１および波長選択スイッチ４−８−２を通り、波長多重信号出力回線４−２−２より出力することができる。よって、回線切り替え前には波長多重信号出力回線４−２−１より出力された信号、回線切り替え後には出力回線４−２−２より出力された信号を受け取る装置は、回線切り替えの前後において、継続してアドドロップ部４−３−１よりアドされた波長λ２の信号を受け取ることができる。すなわち、回線切り替え前後での装置内部における出力信号とアド元トランスポンダとの接続関係が保持される。
【産業上の利用可能性】
【００４２】
本発明は、波長多重信号を伝搬する複数の伝送路光ファイバおよびアドドロップ部との間で信号を交換する波長クロスコネクト装置において、障害救済や保守などを目的とした回線切り替えに用いることができる。
【図面の簡単な説明】
【００４３】
【図１】本発明の第１の実施形態の波長クロスコネクト装置を示す構成図である。
【図２】本発明の第１の実施の形態における入力側波長選択交換部１−３−１〜１−３−Nおよび出力側波長選択交換部１−４−１〜１−４−Nを波長選択スイッチとした構成図である。
【図３】本発明の第２の実施形態の波長クロスコネクト装置を示す構成図である。
【図４】本発明の第２の実施形態における波長回線組換部の構成例を示す図である。
【図５】本発明の第１の実施形態に係わる具体的な第１の実施例を示す構成図である。
【図６】本発明の第１の実施形態に係わる具体的な第２の実施例を示す構成図である。
【図７】本発明の第２の実施例における入力側波長選択交換部および出力側波長選択交換部の構成図である。
【図８】本発明の第１の実施形態に係わる具体的な第３の実施例を示す構成図である。
【図９】本発明の第３の実施例における入力側波長選択交換部および出力側波長選択交換部の構成図である。
【図１０】本発明の第２の実施形態に係わる具体的な第４の実施例を示す構成図である。
【図１１】切り替え前後で信号が異なるトランスポンダよりアド、あるいは異なるトランスポンダへドロップされる波長多重信号を伝搬する複数の伝送路光ファイバおよびアドドロップ部との間で信号を交換する波長クロスコネクト装置の構成図である。
【図１２】回線切り替え前後での装置内部における入力信号とドロップ先トランスポンダとの接続関係および出力信号とアド元トランスポンダとの接続関係を保持するための従来技術例を示す構成図である。
【図１３】波長選択スイッチの構成例を示す図である。
【図１４】図５に示す波長クロスコネクト装置の具体的な構成を示す図である。
【符号の説明】
【００４４】
１−１−１〜１−１−N  波長多重信号入力回線
１−２−１〜１−２−N  波長多重信号出力回線
１−３−１〜１−３−N  入力側波長選択交換部
１−４−１〜１−４−N  出力側波長選択交換部
１−５−１〜１−５−N  ドロップ先トランスポンダ
１−６−１〜１−６−N  アド元トランスポンダ
１−７−１〜１−７−N  ループ
２−１−１〜２−１−N    波長多重信号入力回線
２−２−１〜２−２−N    波長多重信号出力回線
２−３−１〜２−３−N    信号アドドロップ部
２−４−１、２−４−２  波長回線組換部
３−３−１〜３−３−N、３−４−１〜３−４−N  波長選択スイッチ
４−１−１〜４−１−N    波長多重信号入力回線
４−２−１〜４−２−N    波長多重信号出力回線
４−３−１〜４−３−N    信号アドドロップ部
４−４−１、４−４−２  波長回線組換部
４−５−１〜４−５−N、４−６−１〜４−６−N、４−７−１〜４−７−N、
４−８−１〜４−８−N  波長選択スイッチ
５−１ー１〜５−１−４  波長多重信号入力回線
５−２−１〜５−２−４  波長多重信号出力回線
５−３−１〜５−３−４、５−４−１〜５−４−４    2×5波長選択スイッチ
５−５−１〜５−５−４  ドロップ先トランスポンダ
５−６−１〜５−６−４  アド元トランスポンダ
５−７−１〜５−７−４  ループ
６−１−１〜６−１−４  波長多重信号入力回線
６−２−１〜６−２−４  波長多重信号出力回線
６−３−１〜６−３−４  1×2波長選択スイッチ
６−４−１〜６−４−４、６−５−１〜６−５−４  1×5波長選択スイッチ
６−６−１〜６−６−４  ドロップ先トランスポンダ
６−７−１〜６−７−４  アド元トランスポンダ
６−８−１〜６−８−４  カプラ
６−９−１〜６−９−４  カプラ６−８−１、波長選択スイッチ６−３−１間ループ〜
カプラ６−８−４、波長選択スイッチ６−３−４間ループ
７−１ー１〜７−１−４  波長多重信号入力回線
７−２−１〜７−２−４  波長多重信号出力回線
７−３−１〜７−３−４、７−４−１〜７−４−４、７−５−１〜７−５−４  1×5波長選択スイッチ
７−６−１〜７−６−４  ドロップ先トランスポンダ
７−７−１〜７−７−４  アド元トランスポンダ
１０−１−１〜１０−１−Ｎ、１０−２−１〜１０−２−Ｎ  波長選択スイッチ
１１−１−１〜１１−１−４  波長多重信号入力回線
１１−２−１〜１１−２−４  波長多重信号出力回線
１１−３−１〜１１−３−４  入力側波長選択交換部
１１−４−１〜１１−４−４  出力側波長選択交換部
１１−５−１〜１１−５−４  ドロップ先トランスポンダ
１１−６−１〜１１−６−４  アド元トランスポンダ
１２−１−１〜１２−１−４  波長多重信号入力回線
１２−２−１〜１２−２−４  波長多重信号出力回線
１２−３−１〜１２−３−４  入力側波長選択交換部
１２−４−１〜１２−４−４  出力側波長選択交換部
１２−５−１〜１２−５−４  ドロップ先トランスポンダ
１２−６−１〜１２−６−４  アド元トランスポンダ
１２−７−１                光クロスコネクト
【図１】
2008136077.tif 000003
【図２】
2008136077.tif 000004
【図３】
2008136077.tif 000005
【図４】
2008136077.tif 000006
【図５】
2008136077.tif 000007
【図６】
2008136077.tif 000008
【図７】
2008136077.tif 000009
【図８】
2008136077.tif 000010
【図９】
2008136077.tif 000011
【図１０】
2008136077.tif 000012
【図１１】
2008136077.tif 000013
【図１２】
2008136077.tif 000014
【図１３】
2008136077.tif 000015
【図１４】
2008136077.tif 000016